(57)【要約】【課題】作業性よく、雄実を床下地に釘で固定することが可能であり、実結合後は、床材どうしをしっかりと、目透きなく結合できる木質床材の実結合構造を提供する。【解決手段】隣り合う木質床材Ａの側端面に雄実１と雌実２とを延設し、該雄実１と雌実２とを結合してなる実結合構造であって、上記雄実１の凸部の付け根上隅部から木質床材Ａの本体を斜め下方に向けて釘孔を穿ち、該釘孔はその孔径が徐々に小さくなる先細の形状とされた木質床材の実結合構造。上記釘孔３１は木質床材本体を斜め下方に貫通する貫通孔とされる。また、上記釘孔３２、３３は木質床材本体の裏面に開口部を有しない半貫通孔とされる。【選択図】図４
2008095424.tif 000002
【特許請求の範囲】
【請求項１】
隣り合う木質床材の側端面に雄実と雌実とを延設し、該雄実と雌実とを結合してなる実結合構造であって、上記雄実の凸部の付け根上隅部から木質床材の本体を斜め下方に向けて釘孔を穿ち、該釘孔はその孔径が徐々に小さくなる先細の形状とされた木質床材の実結合構造。
【請求項２】
上記釘孔は木質床材本体を斜め下方に貫通する貫通孔である請求項１に記載の木質床材の実結合構造。
【請求項３】
上記釘孔は木質床材本体の裏面に開口部を有しない半貫通孔である請求項１に記載の木質床材の実結合構造。
【請求項４】
上記釘孔は孔部の深さが貫通時の約２／３である請求項３に記載の木質床材の実結合構造。
【請求項５】
上記木質床材がムクの床材である請求項１に記載の木質床材の実結合構造。
【発明の詳細な説明】
【技術分野】
【０００１】
本発明は、隣り合う木質床材の側端部どうしを結合する構造に関する。さらに詳しくは、木質床材どうしを雄実と雌実とを用いて結合する実結合構造に関する。
【背景技術】
【０００２】
従来、床材の一側端面に雄実としての凸部を延設し、他側端面に雌実としての凹部を設け、上記のように側端面に雄実と雌実とを有する床材を相互に隣接して実結合し、床面を形成する技術は公知である。下記特許文献１には、床下地に接着剤を介して直貼りされた床材や、釘打ちによって床下地に固着された床材が、擦れによる軋みや、床鳴りが発生することを長期間に亘って防止する技術が提案されている。そして釘打ちによる場合、下記特許文献１の図７に示されているように、床材どうしの結合は雄実と雌実とによって行われるとともに、雄実は雄実付け根上隅部から床材本体を斜めに貫通するように釘打ちされ、実結合されている。
【特許文献１】特開２００５−１７１６７７号公報（第１〜５頁、第２図、第７図）
【発明の開示】
【発明が解決しようとする課題】
【０００３】
上記公知技術に開示されているように、釘によって雄実を床下地に固定する場合、直接釘を打ち込めば、実割れを起こすため、通常、雄実の付け根上隅部から床材本体を斜めに貫通するように釘孔を穿ち、その後、釘打ちすることが行われている。しかしながら、釘を打つ際に釘をガイドする釘孔の径が釘よりも大きい場合は、釘自体の接触摩擦力が釘孔に対して働かず、単に釘のヘッドにより雄実を押しつけて床下地材に固定することとなり、固着力が弱くなるという問題がある。
【０００４】
本発明はこのような問題を解決して、作業性よく、雄実を床下地に釘で固定することができるとともに、実結合後は、床材どうしをしっかりと、目透きの生じることなく結合できる木質床材の実結合構造を提供することを、その課題とする。
【課題を解決するための手段】
【０００５】
上記課題を解決するために、本発明においては、つぎのような技術的手段を講じている。すなわち、請求項１に記載の発明によれば、隣り合う木質床材の側端面に雄実と雌実とを延設し、該雄実と雌実とを結合してなる実結合構造であって、上記雄実の凸部の付け根上隅部から木質床材の本体を斜め下方に向けて釘孔を穿ち、該釘孔はその孔径が徐々に小さくなる先細の形状とされた木質床材の実結合構造が提供される。
【０００６】
請求項２に記載の木質床材の実結合構造は、請求項１に記載の発明に加えて、上記雄実の凸部の付け根上隅部から木質床材の本体を斜め下方に向けて穿たれる釘孔は木質床材本体を貫通する貫通孔とされる。
【０００７】
請求項３に記載の木質床材の実結合構造は、請求項１に記載の発明に加えて、上記釘孔は木質床材本体の裏面に開口部を有しない半貫通孔とされる。ここに、半貫通孔とは、木質床材本体を貫通することなく、すなわち、裏面に開口しない盲管状の釘孔をいう。
【０００８】
請求項４に記載の木質床材の実結合構造は、請求項３に記載の発明に加えて、上記釘孔は孔部の深さはとくに限定されるものではないが、好ましくは、貫通時の約２／３とすることが好ましい。
【０００９】
請求項５に記載の木質床材の実結合構造は、請求項１に記載の発明に加えて、
上記木質床材がムクの床材とされる。ムクの床材としては、公知の床材、たとえば、松、米松、檜、杉、槙等が好ましく用いられる。
【発明の効果】
【００１０】
請求項１に記載の発明にかかる木質床材の実結合構造は上記のとおりであり、雄実の凸部の付け根上隅部から木質床材の本体を斜め下方に向けて釘孔を穿ち、該釘孔はその孔径が徐々に小さくなる先細の形状とされているため、釘を打ったとき、釘孔の内周壁面と釘の外側部との接触摩擦力が大きくなり、実割れを起こすことなく、しっかりと木質床材を床下地に釘固定することができる。
【００１１】
請求項２に記載の木質床材の実結合構造は上記のとおりであり、請求項１の木質床材の実結合構造の有する効果に加え、上記釘孔は木質床材本体を斜め下方に貫通する貫通孔とされているため、釘が打ち易く、作業性よく釘打ちをすることができる。
【００１２】
請求項３に記載の木質床材の実結合構造は上記のとおりであり、請求項１の木質床材の実結合構造の有する効果に加え、上記釘孔は木質床材本体の裏面に開口部を有しない半貫通孔とされ、釘孔の内周壁面と釘の外側部との間に接触摩擦力が働くとともに、孔が貫通していない木質床材本体が釘によって床下地に釘固定されるため、しっかりと木質床材を床下地に固定することができる。
【００１３】
請求項４に記載の木質床材の実結合構造は上記のとおりであり、請求項３の木質床材の実結合構造の有する効果に加え、上記釘孔は孔部の深さが貫通時の約２／３とされているため、釘の径が、釘孔の径よりも小さい多少細目の釘を用いても打ち込み易く、また、木質床材の本体が約１／３残されているため、残された木質床材の本体部を貫通した釘によって木質床材は床下地にしっかりと釘固定される。
【００１４】
請求項５に記載の木質床材の実結合構造は上記のとおりであり、請求項１の木質床材の実結合構造の有する効果に加え、上記木質床材を松、米松、檜、杉、槙等ムクの床材とすることにより、木質感、高級感のある床面を形成することができる。
【発明を実施するための最良の形態】
【００１５】
以下、木質床材としてムクの床材を用いた本発明の実施形態について図面を参照して詳細に説明する。図１は本発明の第１実施形態にかかる木質床材の実結合構造を示す断面図である。図１に示すように、第１実施形態においては、木質床材Ａの一側端面に雄実１が延設されるとともに、他の側端面に雌実２が延設され、雄実１の凸部の付け根上隅部から木質床材Ａの本体の斜め下方に向けて釘孔３１が穿たれている。さらに、雄実１と雌実２とを、補強するための接着剤を塗布した後、嵌合する際、余剰の接着剤を溜める接着剤溜まり４が、雄実１の凸部の上部端面１１に設けられている。
【００１６】
図１に示されているように、上記釘孔３１は、先に行くほど孔径が小さくなる先細の形状とされ、木質床材Ａの裏面を貫通して穿たれる。このように、釘孔３１を先細の形状とすることにより、釘を打ったとき、釘孔３１の内周壁面と釘の外側部との接触摩擦力が大きくなり、実割れを起こすことなく、しっかりと木質床材Ａを床下地に釘固定することができる。
【００１７】
図２は、本発明の第２実施形態にかかる木質床材の実結合構造を示す断面図である。図２に示すように、本実施形態においては釘孔３２は、木質床材Ａの本体の裏面に開口部を有しない半貫通孔とされている。このように、釘孔３２は木質床材Ａの本体の裏面に開口部を有しないため、貫通孔としたときのように、バリが発生することなく、バリ取りの手間が省け、作業性よく釘孔３２を穿つことができる。また、釘孔３２も先細の形状とされているため、釘孔３２の内周壁面と釘の外側部との接触摩擦力が大きくなり、実割れを起こすことなく、しっかりと木質床材Ａを床下地に釘固定することができる。
【００１８】
図３は、本発明の第２実施形態の応用例を示す断面図である。本第２実施形態の応用例においては、釘孔３３は、その孔部の深さが貫通時の孔部の深さの約２／３である先細の形状の半貫通孔とされている。このように、釘孔３３を半貫通孔として設けることにより、釘の径が、釘孔３３の径よりも小さい多少細目の釘を用いても、木質床材Ａの本体が約１／３残されているため、釘は残された木質床材Ａの本体部を貫通して床下地にしっかりと固定され、釘着することができる。
【００１９】
図４は、図３に示した第２実施形態の応用例にかかる木質床材の実結合構造を用いて床面を施工した状態を示す要部断面図である。図４に示すように、雄実１は、その凸部の付け根上隅部から木質床材Ａの本体の斜め下方に向けて穿たれた釘孔３３によってガイドされ、打ち込まれた釘５によって釘固定されている。その後、上記のように釘固定された雄実１の凸部の上部端面１１と雌実２の上部端面２１に補強のための接着剤Ｓを塗布して、雄実１と雌実２とを嵌合する。上記雄実１の上部端面１１と雌実２の上部端面２１とは接着剤Ｓによって接着するとともに、余剰分は接着剤溜まり４に溜まり、このようにして、接着剤によって目透きなく補強された雄実１と雌実２とは、しっかりと実結合される。
【００２０】
上記は第２実施形態の応用例について例示したが、第１実施形態、第２実施形態の場合も同様であり、ムクの床材を木質床材Ａとして用い、本発明の実結合構造を適用することにより、ムクの床材はしっかりと床下地６に固定され、また、結合されて木質感、高級感のある床面を形成することができる。
【００２１】
なお、図３に半貫通の応用例として、孔部の深さが貫通時の約２／３である釘孔３３を例示したが、これに限られず、例えば、約１／２でもよい。孔部の深さは使用する木質床材Ａの材質によって本体裏面に開口部を形成しない限り、適宜変更可能である。このように、本発明は種々設計変更自在であり、特許請求の範囲を逸脱しない限り、本発明の技術的範囲に属する。
【図面の簡単な説明】
【００２２】
【図１】本発明の第１実施形態にかかる木質床材の実結合構造を示す断面図である。
【図２】本発明の第２実施形態にかかる木質床材の実結合構造を示す断面図である。
【図３】本発明の第２実施形態の応用例にかかる木質床材の実結合構造を示す断面図である。
【図４】本発明の第２実施形態の応用例にかかる木質床材の実結合構造を用いて床面を施工した状態を示す要部断面図である。
【符号の説明】
【００２３】
Ａ          木質床材
Ｓ          接着剤
１          雄実
１１        上部端面
２          雌実
２１        上部端面
３１        第１実施形態における釘孔
３２        第２実施形態における釘孔
３３        第２実施形態の応用例における釘孔
４          接着剤溜まり
５          釘
６          床下地
【図１】
2008095424.tif 000003
【図２】
2008095424.tif 000004
【図３】
2008095424.tif 000005
【図４】
2008095424.tif 000006